(57)【要約】【課題】紙おむつに対する痒み防止と保温向上とを図る。【解決手段】介護者がズボン形肌着２を介護対象者２１に穿かせると、胴周り部３が介護対象者２１の臀部や腹部および腰部を被覆し、股除去部６が介護対象者２１の股部と対応し、脚周り部５が介護対象者２１の大腿部２２を被服し、その後、介護者が、介護者が紙おむつ１１を介護対象者２１に穿かせると、ズボン形肌着２が介護対象者の肌に触れるように介護対象者２１と紙おむつ１１との間に配置され、股除去部６が紙おむつ１１の吸収体１２を避け、ズボン形肌着２の脚周り部５が介護対象者２１の大腿部２２を被服し、介護対象者２１の排尿や排便がズボン形肌着２を汚すことなく吸収体１２で受け止められ、紙おむつ１１がその役目を適切に果たすことができ、排尿回数が多くなっても介護対象者２１が腰ゴム部４や腰部の周りの肌を痒がることはなく、介護対象者２１が大腿部２２の冷えを訴えることもない。【選択図】図１
2009270204.tif 000002
【特許請求の範囲】
【請求項１】
布製のズボン形肌着または布製の展開形肌着の股部が紙おむつの吸収体を避ける範囲で除去された股除去部を備えたことを特徴とする介護用肌着。
【発明の詳細な説明】
【技術分野】
【０００１】
本発明は、紙おむつに対する痒み防止と保温向上とが図れる介護用肌着に関する。
【背景技術】
【０００２】
特許文献１で開示されたパンツ形の紙おむつを介護対象者の肌に触れるように使用した場合、排尿回数が多くなるに伴い、介護対象者における腰周りの肌が痒くなるという傾向がある。また、紙おむつの場合、股下部が無いので、大腿部が冷える傾向がある。そこで、特許文献２乃至特許文献３で開示された介護用肌着を使用することも考えられるけれども、係る介護用肌着は、股部が閉鎖された構造であるので、紙おむつの上から穿かせることとなり、痒みを助長することになる。
【特許文献１】特許第３９３４８５５号公報
【特許文献２】登録実用新案第３０１２６６５号公報
【特許文献３】登録実用新案第３０７８２８７号公報
【特許文献４】特開２０００−１７５０１号公報
【発明の開示】
【発明が解決しようとする課題】
【０００３】
発明が解決しようとする問題点は、紙おむつを介護対象者の肌に触れるように使用した場合、痒くなりかつ冷えるという点である。
【課題を解決するための手段】
【０００４】
本発明に係る介護用肌着は、布製のズボン形肌着または布製の展開形肌着の股部が紙おむつの吸収体を避ける範囲で除去された股除去部を備えたことを最も主要な特徴とする。
【発明の効果】
【０００５】
本発明に係る介護用肌着は、布製のズボン形肌着または布製の展開形肌着が介護対象者の肌に触れるように介護対象者と紙おむつとの間に配置され、股除去部が紙おむつの吸収体を避け、ズボン形肌着または布製の展開形肌着の脚周り部が介護対象者の大腿部を被服することによって、ズボン形肌着または布製の展開形肌着および紙おむつを着用した介護対象者が排尿や排便がズボン形肌着を汚すことなく吸収体で受け止められ、紙おむつがその役目を適切に果たすことができ、排尿回数が多くなっても介護対象者が腰周りの肌を痒がることはなく、介護対象者が大腿部の冷えを訴えることもないという利点がある。これらの利点は、出願人が９２歳の母親を介護して６年を経過するが、その６年間の介護において、ズボン形肌着を使用した実績からも裏付けられる。
【発明を実施するための最良の形態】
【０００６】
図１は、介護用肌着１および紙おむつ１１を分解して示す。図２は介護対象者２１が介護用肌着１および紙おむつ１１を着用した正面を示す。
【０００７】
図１を参照し、立ち上がれる介護対象者に最適な介護用肌着１について説明する。介護用肌着１は、ズボン形肌着２の股部が紙おむつ１１の吸収体１２を避ける範囲で除去された構造である。ズボン形肌着２は、自然繊維または合成繊維または混紡繊維など肌に優しい素材からなる布製であって、胴周り部３と腰ゴム部４と脚周り部５とを備える。胴周り部３は、上下方向に貫通する筒状である。腰ゴム部４は、胴周り部３の上開口縁部に当該上開口縁部を一周する伸縮部として設けられる。脚周り部５は、胴周り部３の下部から左右に二股に分かれた筒状である。そして、胴周り部３と２つの脚周り部５とが互いに連接された内側の股部には、股除去部６が設けられる。股除去部６は、ズボン形肌着２の股部が紙おむつ１１の吸収体１２を避ける範囲で除去された構造である。股除去部６の開口縁部は、端始末されて、解けないようになっている。端始末は、例えば、穴かがりのようなかがり縫い、リボン布またはバイヤス布を付設した構造、端縫いなどによって構成される。
【０００８】
紙おむつ１１は、例えば、特許文献１で開示されたようなパンツ形であって、その股部の内部に吸収体１２を備え、上部に筒状の腰開口部１３を備え、下部左右に筒状の脚開口部１４を備える。吸収体１２は、紙おむつ１１を構成する内側表地と外側表地との間に位置ずれしないように設置される。腰開口部１３は、腰開口部１３を一周しかつ周方向に伸縮するゴム部として構成される。脚開口部１４は、脚開口部１４を一周しかつ周方向に伸縮するゴム部として構成される。
【０００９】
図１および図２を参照し、介護用肌着１の使い方について説明する。先ず、図１において、図外の介護者がズボン形肌着２を仮想線で示す介護対象者２１に穿かせる。それには、図外の介護者が、ズボン形肌着２を手で持ち、介護対象者２１の一方の足を上方から腰ゴム部４の内部と胴周り部３の内部および片方の脚周り部５の内部に順に通した後、介護対象者２１の他方の足を上方から腰ゴム部４の内部と胴周り部３の内部および片方の脚周り部５の内部に順に通し、腰ゴム部４が介護対象者２１の臀部よりも上方になるように、ズボン形肌着２を持ち上げる。これによって、胴周り部３が介護対象者２１の臀部や腹部および腰部を被覆し、股除去部６が介護対象者２１の股部と対応し、脚周り部５が介護対象者２１の大腿部２２を被服し、ズボン形肌着２が介護対象者２１に穿かせられる。
【００１０】
次に、介護者が紙おむつ１１を介護対象者２１に穿かせる。それには、介護者が、紙おむつ１１を手で持ち、介護対象者２１の一方の足を上方から腰開口部１３の内部および片方の脚開口部１４の内部に通した後、介護対象者２１の他方の足を腰開口部１３の中に入れて片方の脚開口部１４に通し、腰開口部１３が介護対象者２１の臀部よりも上方になるように、紙おむつ１１を持ち上げる。この場合、図２に示すように、ズボン形肌着２の脚周り部５が紙おむつ１１の脚開口部１４から下方外側に引き出され、ズボン形肌着２の腰ゴム部４が紙おむつ１１の腰開口部１３よりも上方に持ち上げられる。これによって、ズボン形肌着２および紙おむつ１１が介護対象者２１に穿かせられ、紙おむつ１１の腰開口部１３がズボン形肌着２の胴周り部３および介護対象者２１の腰部を弾性的に支持し、紙おむつ１１の吸収体１２がズボン形肌着２の股除去部６の内側に配置されて介護対象者２１の股部に宛がわれ、紙おむつ１１の脚開口部１４が股除去部６の露出した介護対象者２１の大腿部２２の内側およびズボン形肌着２の脚周り部５の外側を弾性的に支持する。
【００１１】
最良の形態によれば、介護用肌着１および紙おむつ１１が介護対象者２１に穿かされた場合、ズボン形肌着２が介護対象者の肌に触れるように介護対象者２１と紙おむつ１１との間に配置され、股除去部６が紙おむつ１１の吸収体１２を避け、ズボン形肌着２の脚周り部５が介護対象者２１の大腿部２２を被服する。よって、ズボン形肌着２および紙おむつ１１を着用した介護対象者２１の排尿や排便がズボン形肌着２を汚すことなく吸収体１２で受け止められ、紙おむつ１１がその役目を適切に果たすことができ、排尿回数が多くなっても介護対象者２１が腰ゴム部４や腰部の周りの肌を痒がることはなく、介護対象者２１が大腿部２２の冷えを訴えることもないという利点がある。
【産業上の利用可能性】
【００１２】
図３は、発明を実施するための異なる形態に係る介護用肌着１を示す。図３では、介護用肌着１が図外の寝たきりの介護対象者に最適な展開形肌着３１として形成されたことが、最良の形態と異なる。図３に示すように、展開形肌着３１は、自然繊維または合成繊維または混紡繊維など肌に優しい素材からなる布製であって、中央みごろ部３２と端みごろ部３３；３４とを備える。中央みごろ部３２には、中央股除去部３５が円形に設けられる。中央除去部３５は、中央みごろ部３２の下縁部と中央除去部３５の下縁部とにわって形成された裁断部３６によって開口される。裁断部３６の左縁部には、紐３７が上下に分かれて設けられる。裁断部３６の左縁部には、紐３８が上下に分かれて設けられる。左側の端みごろ部３３には、端股除去部３９が半円形に設けられる。端みごろ部３３の端股除去部３９よりも上方の左縁部には、紐４０が上下に分かれて設けられる。端みごろ部３３の端股除去部３９よりも下方の左縁部には、紐４１が上下に分かれて設けられる。左側の端みごろ部３４には、端股除去部４２が半円形に設けられる。端みごろ部３４の端股除去部４２よりも上方の左縁部には、紐４３が上下に分かれて設けられる。端みごろ部３４の端股除去部４２よりも下方の左縁部には、紐４４が上下に分かれて設けられる。展開形肌着３１の縁部、中央股除去部３５の縁部、端みごろ部３３；３４の縁部、裁断部３６の縁部、端股除去部３９；４２の縁部は、端始末されて、解けないようになっている。
【００１３】
図３において、介護用肌着１の使い方について説明する。図外の介護者が、介護対象者の両足を手で持ち上げたまま、展開形肌着３１を介護対象者の臀部と敷布団との間に滑り込ませる。この場合、中央股除去部３５が介護対象者の臀部と対応し、中央みごろ部３２が介護対象者の背中の腰周りおよび左右の大腿部の後側と対応する。次に、介護者が、端みごろ部３３を折り線Ｌ１から右側に折り返して介護対象者の腹部および左の大腿部の前側の上に被せ、端みごろ部３４を折り線Ｌ２から左側に折り返して介護対象者の腹部および右の大腿部の前側の上に被せた後、紐４０と紐４３とを互いに結び、紐３７と紐４１とを互いに結び、紐３８と紐４４とを互いに結ぶ。これによって、展開形肌着３１が図１に示すズボン形肌着２に類似した筒状となって介護対象者に穿かせられ、端股除去部４２；４３が介護対象者の股部の前側に配置される。その後、図１に示すパンツ形の紙おむつ１１または図外の展開形の紙おむつを展開形肌着３１からなる介護用肌着１の上から介護対象者に穿かせることによって、展開形肌着３１からなる介護用肌着１およびパンツ形の紙おむつ１１または展開形の紙おむつが図２に示す類似した形態として介護対象者２１（図２参照）に着用される。これによって、中央股除去部３５および端股除去部４２；４３が紙おむつ１１の吸収体１２（図２参照）を避け、展開形肌着３１および紙おむつ１１または展開形の紙おむつを着用した介護対象者２１が排尿や排便が展開形肌着３１を汚すことなく吸収体１２で受け止められ、紙おむつ１１または展開形の紙おむつがその役目を適切に果たすことができ、排尿回数が多くなっても介護対象者２１が腰部の周りの肌を痒がることはなく、介護対象者２１が大腿部２２（図２参照）の冷えを訴えることもないという利点がある。
【００１４】
図示はしないが、ズボン形肌着２の股上を図２に示すよりも上方に長く形成し、介護用肌着１が介護対象者２１に穿かされた場合、当該股上の長く形成されたズボン形肌着２の腰ゴム部４が介護対象者２１の臍２３を覆い隠すようにしてもよい。また、介護対象者２１が女性の場合、上記股上の長く形成されたズボン形肌着２の腰ゴム部４が介護対象者２１の臍２３を覆い隠して乳房と胸との間に挟まれるようにすることによって、ズボン形肌着２の乳房と胸との間に挟まれた部分が乳房と胸との間にかいた汗を吸収し、乳房と胸とに汗疹が発生することを防止するができるという利点がある。図３において、上側の紐４０；４３を１本の紐により構成し、中央みごろ部３２の上部と端みごろ部３３の上部と端みごろ部３４の上部とに紐通し部を左右方向に貫通する筒状に形成し、上側の紐４０；４３からなる１本の紐を紐通し部に挿入し、当該１本の紐の両端部を紐通し部から左右外側に突出させてもよい。また、図３において、紐３７；３８；４０；４１；４３；４４に代えてファスナーまたは面ファスナまたはフックまたはボタンまたはスナップなどの留め具を使用してもよい。
【図面の簡単な説明】
【００１５】
【図１】介護用肌着および紙おむつの分解斜視図（最良の形態）。
【図２】介護対象者が介護用肌着および紙おむつを着用した正面図（最良の形態）。
【図３】介護用肌着の正面図（異なる形態）。
【符号の説明】
【００１６】
１は介護用肌着、２はズボン形肌着、３は胴周り部、４は腰ゴム部、５は脚周り部、６は股除去部、７乃至１０は欠番、１１は紙おむつ、１２は吸収体、１３は腰開口部、１４は脚開口部、１５乃至２０は欠番、２１は介護対象者、２２は大腿部、２３は臍、２４乃至３０は欠番、３１は展開形肌着、３２は中央みごろ部、３３は端みごろ部、３４は端みごろ部、３５は中央股除去部、３６は裁断部、３７；３８は紐、３９は端股除去部、４０；４１は紐、４２は端股除去部、４３；４４は紐。
【図１】
2009270204.tif 000003
【図２】
2009270204.tif 000004
【図３】
2009270204.tif 000005